【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
車両に配置されかつ車内又は車外に関する状況を検出して前記状況の変化を検出する状況検出手段と、
前記車両の移動履歴情報を蓄積する移動履歴情報蓄積手段と、
前記状況検出手段で検出された前記状況が変化したときに、前記移動履歴情報蓄積手段で蓄積されている移動履歴情報から経路又は目的地を予測する行動予測手段と、
前記行動予測手段で予測された前記車両の経路又は目的地に関する情報を提示する情報提示手段とを備えることを特徴とする車載情報提示装置。
【請求項２】
請求項１に記載の車載情報提示装置において、
さらに、前記車両の経路又は目的地を設定する経路設定手段を備えて、
前記状況検出手段が前記車外の天候を検出する天候検出手段であり、
前記経路設定手段は、前記経路設定手段で経路又は目的地が設定されたときの天候に対して、前記天候検出手段で検出した天候に変化があったときに、前記移動履歴情報蓄積手段で蓄積されている移動履歴情報から経路又は目的地を予測することを特徴とする車載情報提示装置。
【請求項３】
請求項２に記載の車載情報提示装置において、
前記天候検出手段は雨量を検出する天候検出手段であり、
前記行動予測手段は、前記行動予測手段で、前記目的地と雨量との対応を蓄積し、前記天候検出手段で検出した前記雨量に変化があったとき、前記検出された雨量の度合いに応じて、前記移動履歴情報から前記車両の経路又は目的地を予測することを特徴とする車載情報提示装置。
【請求項４】
請求項２に記載の車載情報提示装置において、
前記行動予測手段で、前記移動履歴蓄積手段で蓄積された移動履歴における前記目的地と天候との対応から経路又は目的地を予測することを特徴とする車載情報提示装置。
【請求項５】
請求項２に記載の車載情報提示装置において、
前記天候検出手段は前記車外の温度を検出する天候検出手段であり、
前記行動予測手段で、天候と道路との対応を蓄積し、前記天候検出手段で検出した前記車外の温度に変化があったとき、前記移動履歴情報から前記車両の経路又は目的地を予測することを特徴とする車載情報提示装置。
【請求項６】
請求項２に記載の車載情報提示装置において、
前記天候検出手段は前記車外の状況を撮像する画像処理手段を有し、
前記行動予測手段で、前記車外の画像の変化があったとき、前記移動履歴情報から前記車両の経路又は目的地を予測することを特徴とする車載情報提示装置。
【請求項７】
前記状況検出手段が車内の同乗者を検出して前記同乗者の変化を検出する同乗者検出手段である請求項１記載の車載情報提示装置。
【請求項８】
請求項７に記載の車載情報提示装置において、
さらに、前記車両の経路又は目的地を設定する経路設定手段と、
前記行動予測手段は、前記経路設定手段で経路又は目的地が設定されたときの同乗者に対して、前記同乗者検出手段で検出した同乗者に変化があったときに、前記移動履歴情報蓄積手段で蓄積されている移動履歴情報から経路又は目的地を予測することを特徴とする車載情報提示装置。
【請求項９】
請求項１に記載の車載情報提示装置において、
前記状況検出手段が、前記車外の渋滞状況と渋滞状況の変化を検出する渋滞情報検出手段であることを特徴とする車載情報提示装置。
【請求項１０】
請求項９に記載の車載情報提示装置において、
さらに、前記車両の経路又は目的地を設定する経路設定手段と、
前記経路設定手段で経路又は目的地が設定されたとき前記渋滞情報検出手段で検出された渋滞情報を蓄積する目的地設定時渋情報蓄積手段と、
前記目的地設定時渋情報蓄積手段で蓄積された前記渋滞情報との差異を検出する渋滞状況差異検出手段とを備えて、
前記行動予測手段は、前記渋滞状況差異検出手段の差異に応じて、前記移動履歴情報蓄積手段で蓄積されている移動履歴情報を基に経路又は目的地を予測することを特徴とする車載情報提示装置。
【請求項１１】
請求項１０に記載の車載情報提示装置において、
前記行動予想手段で予測する目的地は、前記経路設定手段で設定された目的地とは異なる新たな目的地であることを特徴とする車載情報提示装置。
【請求項１２】
請求項１０に記載の車載情報提示装置において、
前記渋滞状況差異検出手段で、前記経路設定手段で設定された目的地までの所要時間の差異を算出し、
前記行動予測手段は、前記所要時間の差異に応じて、前記移動履歴情報蓄積手段で蓄積されている移動履歴情報を基に経路又は目的地を予測することを特徴とする車載情報提示装置。
【請求項１３】
前記状況検出手段が補助タイヤの着脱を検出して前記補助タイヤの変化を検出する補助タイヤ検出手段である請求項１に記載の車載情報提示装置。
【請求項１４】
車両の経路又は目的地を設定する経路設定手段と、
前記車両の現在位置を検出する現在位置検出手段と、
前記車両の移動履歴情報を蓄積する移動履歴情報蓄積手段と、
前記経路設定手段で設定された前記経路又は目的地から前記現在位置検出手段で検出された前記現在位置との間が一定の距離を越えたときに、前記移動履歴情報蓄積手段で蓄積されている前記移動履歴情報から前記車両の経路又は目的地を予測する行動予測手段と、
前記行動予測手段で予測された前記車両の経路又は目的地に関する情報を提示する情報提示手段とを備えることを特徴とする車載情報提示装置。
【請求項１５】
請求項１４に記載の車載情報提示装置において、
前記行動予測手段は、前記経路設定手段で設定された前記経路から前記現在位置検出手段で検出された前記現在位置との間が一定の距離を越えたときに、前記移動履歴情報蓄積手段で蓄積されている前記移動履歴情報から、前記現在位置を走行した回数を算出し、前記回数を基に前記車両の経路又は目的地が前記経路設定手段で設定された経路又は目的地と同一か否かを判定することを特徴とする車載情報提示装置。
【請求項１６】
請求項１４に記載の車載情報提示装置において、
さらに、前記経路設定手段で設定された経路の事故又は工事に関する情報を取得し、
前記行動予測手段において、前記経路設定手段で設定された目的地が変更されたか否かを判定することを特徴とする車載情報提示装置。
【請求項１７】
請求項１４に記載の車載情報提示装置において、
前記行動予測手段は、前記経路設定手段で設定された前記経路から前記現在位置検出手段で検出された前記現在位置との間が一定の距離を越えた時間が所定時間以上連続したときに、前記移動履歴情報蓄積手段で蓄積されている前記移動履歴情報から前記車両の経路又は目的地を予測することを特徴とする車載情報提示装置。
【請求項１８】
車両に配置されかつ車内又は車外に関する状況を検出して前記状況の変化を検出する状況検出ステップと、
前記車両の移動履歴情報を蓄積する移動履歴情報蓄積ステップと、
前記状況検出ステップで検出された前記状況が変化したときに、前記移動履歴情報蓄積ステップで蓄積されている移動履歴情報から経路又は目的地を予測する行動予測ステップと、
前記行動予測ステップで予測された前記車両の経路又は目的地に関する情報を提示する情報提示ステップとを備えることを特徴とする車載情報提示方法。
【請求項１９】
車両の経路又は目的地を設定する経路設定ステップと、
前記車両の現在位置を検出する現在位置検出ステップと、
前記車両の移動履歴情報を蓄積する移動履歴情報蓄積ステップと、
前記経路設定ステップで設定された前記経路から前記現在位置検出ステップで検出された前記現在位置との間が一定の距離を越えたときに、前記移動履歴情報蓄積ステップで蓄積されている前記移動履歴情報から前記車両の経路又は目的地を予測する行動予測ステップと、
前記行動予測ステップで予測された前記車両の経路又は目的地に関する情報を提示する情報提示ステップとを備えることを特徴とする車載情報提示方法。
【請求項２０】
情報を提示するプログラムであって、
請求項１８又は１９に含まれるステップをコンピュータに実行させることを特徴とするプログラム。